(57)【要約】【課題】席替え前の内線番号を個人番号として内線電話機に登録し、個人番号と同じ内線電話機で、内線番号が予め割り当てられている構内交換機の任意の接続端子に接続して利用可能な内線電話システムを提供する。【解決手段】制御装置６、接続端子（端子番号）Ａ〜Ｎに対応した内線番号「２０００番」〜「７０００番」および仮想番号のデータを格納する端子位置記憶領域７ａ、グループＧ（例えば、多機能電話機ＭＦＴ−Ｊ〜ＭＦＴ−Ｌ）のグループ情報を含んだデータを格納するグループ記憶領域７ｂを備えた記憶装置７を有する構内交換機２と、内線トランク３と、内線電話機４（多機能電話機ＭＦＴ−Ａ〜ＭＦＴ−Ｎ）とから構成する。【選択図】図１
2007274408.tif 000002
【特許請求の範囲】
【請求項１】
構内交換機、内線トランク、複数の内線電話機を備えた内線電話システムにおいて、
前記内線電話機を前記内線トランクの接続端子に接続し、前記接続端子に予め割り当てられた内線番号を個人番号として登録し、席移動で個人番号が登録された前記内線電話機を別の接続端子に接続して個人番号で利用可能にしたデータを有する記憶装置を備えたことを特徴とする内線電話システム。
【請求項２】
前記記憶装置は、前記内線トランクの接続端子（位置）と内線番号を対応させて記憶する端子位置記憶領域を備えたことを特徴とする請求項１記載の内線電話システム。
【請求項３】
前記端子位置記憶領域は、個人番号の前記内線電話機が前記別の接続端子に接続され、個人番号が登録された場合には、前記別の接続端子に割り当てられた内線番号に代えて、個人番号を仮想内線番号として記憶することを特徴とする請求項２記載の内線電話システム。
【請求項４】
前記端子位置記憶領域は、グループを形成する接続端子（位置）と内線番号を対応させて記憶するとともに、前記グループに共通した着信表示情報および着信音情報を記憶するグループ記憶領域を備えたことを特徴とする請求項２または請求項３記載の内線電話システム。
【発明の詳細な説明】
【技術分野】
【０００１】
本発明は個人番号を利用者の内線電話機に登録し、内線番号が予め割り当てられている構内交換機の任意の接続端子に接続しても、個人番号で内線電話機が利用可能な内線電話システムに関する。
【背景技術】
【０００２】
従来の内線電話システムには、構内交換機の接続端子毎にそれぞれ内線番号が割り当てられており、内線電話機ＴＥＬａが一つの接続端子Ａに接続されると、その接続端子の内線番号で内線電話機を利用するように構成されたものが知られている。
【０００３】
したがって、席替えなどにより、この内線電話機が別の接続端子Ｂに接続されると、接続端子Ｂに割り当てられた別の内線番号で内線電話機ＴＥＬａを利用することになる。
【０００４】
または、別の内線電話機ＴＥＬｂを接続端子Ｂに接続し、接続端子Ｂに割り当てられた別の内線番号で内線電話機ＴＥＬｂを利用する。
【０００５】
また、従来の内線電話システムは、「特許文献１」（ボタン電話装置）に開示されているように、ボタン電話機の内線番号を変更する場合、変更するための内線番号をボタン電話機を操作して入力すると、主装置は入力された番号が正しいか否かを判定し、その判定結果をボタン電話機に通知し、内線番号の変更を可能にするものが知られている。
【特許文献１】特開昭５９−２２４９９４号公報
【発明の開示】
【発明が解決しようとする課題】
【０００６】
従来の内線電話システムは、内線電話機ＴＥＬａの利用者は、電話機内部に電話帳データを保存していたり、内線番号に付随する短縮ダイヤルデータを構内交換機に登録しているケースがあるため、席替えする際には、内線電話機ＴＥＬａや電話番号を変更することなく、利用したいという要望が強い。
【０００７】
席替えしても、同じ内線電話機ＴＥＬａを同じ内線番号で利用するためには、接続端子Ａを席替え場所に配置換えするための工事が必要になり、席替えが多くなると、工事の手間と費用が膨大になる課題がある。
【０００８】
また、「特許文献１」（ボタン電話装置）に開示された技術は、内線端子に内線番号が割り当てられている場合には、席替えとともに、内線電話機（ボタン電話機）の内線番号が変更されてしまい、席替え前と同じ内線番号にできない。
【０００９】
この発明はこのような課題を解決するためになされたもので、その目的は席替え前の内線番号を個人番号として内線電話機に登録し、個人番号と同じ内線電話機で、内線番号が予め割り当てられている構内交換機の任意の接続端子に接続して利用可能な内線電話システムを提供することにある。
【課題を解決するための手段】
【００１０】
前記課題を解決するためこの発明に係る内線電話システムは、構内交換機、内線トランク、複数の内線電話機を備えた内線電話システムにおいて、内線電話機を内線トランクの接続端子に接続し、接続端子に予め割り当てられた内線番号を個人番号として登録し、席移動で個人番号が登録された内線電話機を別の接続端子に接続して個人番号で利用可能にしたデータを有する記憶装置を備えたことを特徴とする。
【００１１】
この発明に係る内線電話システムは、内線電話機を内線トランクの接続端子に接続し、接続端子に予め割り当てられた内線番号を個人番号として登録し、席移動で個人番号が登録された内線電話機を別の接続端子に接続して個人番号で利用可能にしたデータを有する記憶装置を備えたので、席移動しても、何の工事を必要とせず、利用者の内線電話機を持って個人番号で、利用することができる。
【００１２】
また、この発明に係る記憶装置は、内線トランクの接続端子（位置）と内線番号を対応させて記憶する端子位置記憶領域を備えたことを特徴とする。
【００１３】
この発明に係る記憶装置は、内線トランクの接続端子（位置）と内線番号を対応させて記憶する端子位置記憶領域を備えたので、接続端子（位置）と内線番号を入力し、単純に内線番号を割り当てた接続端子（位置）を増設することができる。
【００１４】
さらに、この発明に係る端子位置記憶領域は、個人番号の内線電話機が別の接続端子に接続され、個人番号が登録された場合には、別の接続端子に割り当てられた内線番号に代えて、個人番号を仮想内線番号として記憶することを特徴とする。
【００１５】
この発明に係る端子位置記憶領域は、個人番号の内線電話機が別の接続端子に接続され、個人番号が登録された場合には、別の接続端子に割り当てられた内線番号に代えて、個人番号を仮想内線番号として記憶するので、割り当てられた内線番号を仮想内線番号（個人番号）に変更し、席替えしても個人番号で内線電話機を利用することができる。
【００１６】
また、この発明に係る端子位置記憶領域は、グループを形成する接続端子（位置）と内線番号を対応させて記憶するとともに、グループに共通した着信表示情報および着信音情報を記憶するグループ記憶領域を備えたことを特徴とする。
【００１７】
この発明に係る端子位置記憶領域は、グループを形成する接続端子（位置）と内線番号を対応させて記憶するとともに、グループに共通した着信表示情報および着信音情報を記憶するグループ記憶領域を備えたので、別グループに席替えしても個人番号を利用するとともに、着信表示や着信音を別グループ使用のものと同じにすることができる。
【発明の効果】
【００１８】
この発明に係る内線電話システムは、内線電話機を内線トランクの接続端子に接続し、接続端子に予め割り当てられた内線番号を個人番号として登録し、席移動で個人番号が登録された内線電話機を別の接続端子に接続して個人番号で利用可能にしたデータを有する記憶装置を備えたので、席移動しても、何の工事を必要とせず、利用者の内線電話機を持って個人番号で、利用することができ、利便性の向上を図ることができる。
【００１９】
また、この発明に係る記憶装置は、内線トランクの接続端子（位置）と内線番号を対応させて記憶する端子位置記憶領域を備えたので、接続端子（位置）と内線番号を入力し、単純に内線番号を割り当てた接続端子（位置）を増設することができ、システムの拡張性を高めることができる。
【００２０】
さらに、この発明に係る端子位置記憶領域は、個人番号の内線電話機が別の接続端子に接続され、個人番号が登録された場合には、別の接続端子に割り当てられた内線番号に代えて、個人番号を仮想内線番号として記憶するので、割り当てられた内線番号を仮想内線番号（個人番号）に変更し、席替えしても個人番号で内線電話機を利用することができ、使い勝手の良さをアピールすることができる。
【００２１】
また、この発明に係る端子位置記憶領域は、グループを形成する接続端子（位置）と内線番号を対応させて記憶するとともに、グループに共通した着信表示情報および着信音情報を記憶するグループ記憶領域を備えたので、グループに席替えしても個人番号を利用するとともに、着信表示や着信音を別グループ使用のものと同じにすることができ、グループの形成や解消を効率手的実行することができる。
【発明を実施するための最良の形態】
【００２２】
以下、この発明の実施の形態を添付図面に基づいて説明する。図１はこの発明に係る内線電話システムの一実施の形態システム構成図である。図１において、内線電話システム１は、構内交換機２と、内線トランク３と、内線電話機４とから構成されている。なお、内線トランク３は、構内交換機２に収容してもよい。また、内線とランク３は、内線電話機４を接続するインタフェース機能を有する。
【００２３】
構内交換機２は、多機能電話機ＭＦＴ−Ａ〜ＭＦＴ−Ｎ（多機能電話機ＭＦＴ−Ｊ〜ＭＦＴ−ＬはグループＧを構成）で構成される内線電話機４の相互間の通話路や内線電話機４と外線間の通話路を形成する通話路スイッチ５、システム全体の動作を制御する制御装置６、様々な交換機データやデータテーブルなどのデータを格納する記憶装置７を備えている。
【００２４】
制御装置６は、マイクロプロセッサを基本に構成し、記憶装置７に格納されている内線トランク３の接続端子位置（端子番号）Ａ〜Ｎのそれぞれに内線番号（例えば、「２０００番」〜「７０００番」）のデータを割り当てる制御を実行する。
【００２５】
また、制御装置６は、接続端子位置（端子番号）Ａ〜Ｎのそれぞれに多機能電話機ＭＦＴ−Ａ〜ＭＦＴ−Ｎが接続されると、それぞれに割り当てられた内線番号（例えば、「２０００番」〜「７０００番」）のデータを通知する。なお、以降では、多機能電話機ＭＦＴ−Ａについて説明し、必要に応じて多機能電話機ＭＦＴ−Ｂ〜ＭＦＴ−Ｎについても説明する。
【００２６】
さらに、制御装置６は、多機能電話機ＭＦＴ−Ａに内線番号（「２０００番」）のデータを通知し、多機能電話機ＭＦＴ−Ａから「個人番号登録」操作がなされると、内線番号（「２０００番」）を個人番号「２０００番」として認識し、記憶装置７に格納する制御を実行する。
【００２７】
また、制御装置６は、多機能電話機ＭＦＴ−Ａ（個人番号「２０００番」）が別の接続端子に接続（席移動）し、「席移動開始」操作がなされると、接続された接続端子（例えば、接続端子（端子番号）Ｂ）の内線番号（例えば、「３０００番」）のデータに代えて、個人番号「２０００番」を仮想内線番号のデータとして記憶装置７に記憶させる制御を実行する。なお、これ以降では、接続端子（端子番号）Ｂが個人番号「２０００番」となる。
【００２８】
さらに、制御装置６は、個人番号「２０００番」が仮想内線番号となると、接続端子（端子番号）Ａの内線番号「２０００番」のデータを空きにする処理を実行する。
【００２９】
また、制御装置６は、多機能電話機ＭＦＴ−Ａが個人番号「２０００番」でグループＧ内に席移動し、「グループデータ」操作がなされると、記憶装置７に格納されたグループ共通データである着信表示情報および着信音情報を多機能電話機ＭＦＴ−Ａ内に設定する制御を実行する。
【００３０】
さらに、制御装置６は、「個人番号登録」、「席移動開始」、「グループデータ」などのメニューデータを多機能電話機ＭＦＴ−Ａに送信し、多機能電話機ＭＦＴ−Ａに表示させる制御を実行する。
【００３１】
記憶装置７は、書換え可能なメモリ（Ｆ−ＲＯＭなど）で構成し、接続端子（端子番号）Ａ〜Ｎに対応した内線番号「２０００番」〜「７０００番」および仮想内線番号のデータを格納する。
【００３２】
また、記憶装置７は、グループＧ（例えば、多機能電話機ＭＦＴ−Ｊ〜ＭＦＴ−Ｌ）のグループ情報を含んだデータを格納する。
【００３３】
さらに、記憶装置７は、「個人番号登録」、「席移動開始」、「グループデータ」などのメニューデータを格納する。
【００３４】
図２はこの発明に係る記憶装置の一実施の形態端子位置記憶領域イメージ図である。図２において、端子位置記憶領域７ａは、端子番号Ａ〜Ｎに対応した内線番号「２０００番」〜「７０００番」、仮想内線番号（個人番号）のデータ領域を備える。
【００３５】
また、グループ記憶領域７ｂは、端子位置記憶領域７ａの一部を形成し、端子番号Ｊ〜Ｌでグループを構成する場合に、端子番号Ｊ〜Ｌ、内線番号「４０００番」、「４００１番」および「４００２番」、仮想内線番号（個人番号）「２０００番」およびグループ共通情報（着信表示情報ＪG、着信音情報ＪA）のデータ領域を備える。
【００３６】
端子位置記憶領域７ａおよびグループ記憶領域７ｂは、外部入力装置（パソコン等）から入力して設定することができる。
【００３７】
また、内線トランク３の接続端子（端子番号）を準備して、接続端子（端子番号）Ａ〜Ｎと「２０００番」〜「７０００番」を端子位置記憶領域７ａに設定することにより、煩雑な設定工事を必要とすることなく、接続端子（端子番号）と内線番号を容易にデータ設定することができる。
【００３８】
さらに、内線トランク３への接続端子（端子番号）と内線番号のデータ設定が容易なので、接続端子（端子番号）の増設や解除も容易になり、システムの拡張性を高めることができる。
【００３９】
また、記憶装置７は、個人番号「２０００番」の多機能電話機ＭＦＴ−Ａが別の接続端子（端子番号）Ｂに接続され、個人番号が登録された場合には、別の接続端子Ｂに割り当てられた内線番号（「３０００番」）のデータに代えて、個人番号「２０００番」を仮想内線番号のデータとして記憶するので、割り当てられた内線番号を仮想内線番号（個人番号）に変更し、席替えしても個人番号「２０００番」で多機能電話機ＭＦＴ−Ａを利用することができる。
【００４０】
さらに、記憶装置７は、グループＧを形成する接続端子Ｊ〜Ｌと内線番号「４０００番」〜「４００２番」のデータを対応させて記憶するとともに、グループＧに共通した着信表示情報ＪGおよび着信音情報ＪAのデータを記憶するグループ記憶領域７ｂを備えたので、別グループに席替えしても個人番号「２０００番」を利用するとともに、着信表示や着信音を別グループ使用のものと同じにすることができる。
【００４１】
図３はこの発明に係る内線電話機の一実施の形態構成図である。図３において、内線電話機４を構成する多機能電話機ＭＦＴ−Ａは、ＬＣＤなどで構成し、「内線番号登録」、「席移動開始」、「グループデータコピー」などの設定のためのメニューを表示する表示器８、着信時に点灯する着信ランプ９、外線を収容したり、特殊ボタンとして使用するフリーファンクションボタン１０、再ダイヤルボタン、短縮ボタン、終了ボタン、不在ボタンおよび代理応答ボタンの機能ボタン１１、メニュー表示内容をスクロールして選択する十字ボタン１２、選択した項目を決定する決定ボタン１２ａ、マイク１３、オンフックボタン、転送ボタンおよび保留ボタンの機能ボタン１４、ダイヤルボタン１５、着信音やスピーカ受話のためのスピーカ１６、通話のハンドセット１７を備える。
【００４２】
例えば、フリーファンクションボタン１０の１ボタンにメニューボタンを設定し、表示器８にメニュー項目を表示し、十字ボタン１２で目的のメニュー項目を選択し、決定ボタン１２ａで、「内線番号登録」、「席移動開始」、「グループデータコピー」を決定する。
【００４３】
図４はこの発明に係る個人番号方式の一実施の形態席移動イメージ図である。初期準備では、ＰＢＸ（構内交換機２）の接続端子の内線番号「２０００番」に多機能電話機ＭＦＴ−Ａが接続され、内線番号「２０００番」で動作しており、接続端子の内線番号「３０００番」に多機能電話機ＭＦＴ−Ｂが接続され、内線番号「３０００番」で動作している。
【００４４】
この状態で、多機能電話機ＭＦＴ−Ａの操作によって、多機能電話機ＭＦＴ−Ａに内線番号「２０００番」を個人番号として登録する（操作ａ）。
【００４５】
次に、多機能電話機ＭＦＴ−Ｂが接続端子の内線番号「３０００番」から外されて空きになっている時に、多機能電話機ＭＦＴ−Ａを接続端子の内線番号「３０００番」に席移動すると、多機能電話機ＭＦＴ−Ａは、内線番号「３０００番」で動作する。
【００４６】
続いて、多機能電話機ＭＦＴ−Ａのメニュー操作により、多機能電話機ＭＦＴ−Ａの内線番号（個人番号）「２０００番」をＰＢＸに通知する（操作ｂ）。
【００４７】
これ以降、多機能電話機ＭＦＴ−Ａは、個人番号「２０００番」で動作する。
【００４８】
続いて、「個人番号の登録」、「席移動開始」ならびに「グループデータのコピー」のメニュー選択について説明する。図５はこの発明に係る個人番号の登録の一実施の形態メニュー選択図である。図５において、メニュー画面から「４．個人番号」を選択し、図３に示す決定ボタン１２ａを押す（１）。
【００４９】
メニュー画面から「１．個人番号登録」を選択して決定ボタン１２ａを押す（２）と、「個人番号登録中お待ちください」が表示され（３）、「個人番号登録しました」の表示となり、登録完了後に決定ボタン１２ａを押す。
【００５０】
図６はこの発明に係る席移動開始の一実施の形態メニュー選択図である。図６において、メニュー画面から「４．個人番号」を選択して決定ボタン１２ａを押す（１）。
【００５１】
メニュー画面から「２．席移動開始」を選択して決定ボタン１２ａを押すと（２）、「個人番号取得中お待ちください」が表示され（３）、「内線番号２０００」が表示される。
【００５２】
図７はこの発明に係るグループデータコピーの一実施の形態メニュー選択図である。図７において、メニュー画面から「４．個人番号」を選択して決定ボタン１２ａを押す（１）。
【００５３】
メニュー画面から「４．グループデータ」を選択して決定ボタン１２ａを押し（２）、表示される「内線番号？」に対し、「４００１」を入力して決定ボタン１２ａを押す（３）。
【００５４】
メニュー画面から「１．グループデータコピー」を選択して決定ボタン１２ａを押す（４）と、「内線番号２０００」が表示される。
【００５５】
このように、この発明に係る記憶装置７は、内線トランクの接続端子（位置）Ａ〜Ｎと内線番号「２０００番」〜「７０００番」を対応させて記憶する端子位置記憶領域７ａを備えたので、接続端子（位置）と内線番号を入力し、単純に内線番号を割り当てた接続端子（位置）を増設することができ、システムの拡張性を高めることができる。
【００５６】
また、この発明に係る端子位置記憶領域７ａは、個人番号「２０００番」の多機能電話機ＭＦＴ−Ａが別の接続端子Ｂに接続され、個人番号が登録された場合には、別の接続端子Ｂに割り当てられた内線番号「３０００番」に代えて、個人番号「２０００番」を仮想内線番号として記憶するので、割り当てられた内線番号を仮想内線番号（個人番号）に変更し、席替えしても個人番号で内線電話機を利用することができ、使い勝手の良さをアピールすることができる。
【００５７】
さらに、この発明に係る端子位置記憶領域７ａは、グループＧを形成する接続端子（位置）Ｊ〜Ｌと内線番号「４０００番」〜「４００２番」を対応させて記憶するとともに、グループＧに共通した着信表示情報ＪGおよび着信音情報ＪAを記憶するグループ記憶領域７ｂを備えたので、別グループに席替えしても個人番号を利用するとともに、着信表示や着信音をグループ使用のものと同じにすることができ、グループの形成や解消を効率的に実行することができる。
【００５８】
次に、内線電話システムの「個人番号登録」、「席移動開始」、別グループに席移動時の「データ変更」（グループデータコピー）、「席戻り」の動作シーケンスについて説明する。なお、多機能電話機ＭＦＴ−Ａが接続端子（端子番号）Ａから接続端子（端子番号）Ｂに席替えした後、グループＧの接続端子（端子番号）Ｊに席替えしてグループデータコピーし、最終的に元の接続端子（端子番号）Ａに席戻りするまでの動作シーケンスについて順を追って説明し、各動作シーケンスにおける個人番号「２０００番」の端子位置記憶領域７ａ内の変化（図２参照）も併せて説明する。
【００５９】
図８はこの発明に係る個人番号登録の一実施の形態動作シーケンス図である。図８において、多機能電話機ＭＦＴ−Ａで「個人番号登録」操作がなされると、構内交換機２は、個人番号「２０００番」を認識し、「登録（２０００）」を内線トランク３を経由して多機能電話機ＭＦＴ−Ａに通知する。
【００６０】
続いて、構内交換機２は、「ＬＣＤ表示情報（登録中表示）」を内線トランク３を介して多機能電話機ＭＦＴ−Ａに送信する。
【００６１】
「ＬＣＤ表示情報（登録中表示）」を受信した多機能電話機ＭＦＴ−Ａは、「登録中の表示」を画面上に表示し、「自電話番号（個人番号「２０００番」）記憶」を実行した後、「書込み」の判断を行い、書込みＯＫの場合には、「登録ＯＫ」を内線トランク３を介して構内交換機２に通知する。
【００６２】
「登録ＯＫ」を受信した構内交換機２は、「ＬＣＤ表示情報（完了表示）」を内線トランク３を経由して多機能電話機ＭＦＴ−Ａに通知する。
【００６３】
多機能電話機ＭＦＴ−Ａは、「ＬＣＤ表示情報（完了表示）」を受けて、画面上に「登録完了の表示」を実行して「個人番号登録」のシーケンスを終了する。なお、多機能電話機ＭＦＴ−Ａの利用者は、「個人番号登録」操作をするだけでよい。
【００６４】
また、「個人番号登録」のシーケンスにおいて、端子位置記憶領域７ａ内の「内線番号２０００番」の収容位置は、「端子番号Ａ」に対応した位置にあって変化しない。
【００６５】
図９はこの発明に係る席移動開始の一実施の形態動作シーケンス図である。図９において、多機能電話機ＭＦＴ−Ａが端子番号Ａから端子番号Ｂに席移動し、「POW-ON」（電源供給）されて内線トランク３との間で「同期確立」がなされると、内線トランク３から構内交換機２に「初期設定要求」が送信される。
【００６６】
「初期設定要求」を受信して構内交換機２は、「初期設定情報（３０００）」を内線トランク３を経由して多機能電話機ＭＦＴ−Ａに送信する。「初期設定情報（３０００）」を受信し、多機能電話機ＭＦＴ−Ａは、「内線番号３０００番」で動作開始」することになる。
【００６７】
この状態で、多機能電話機ＭＦＴ−Ａで「席移動開始」操作がなされると、構内交換機２は、「席移動開始認識」し、「通知要求」を内線トランク３を経由して多機能電話機ＭＦＴ−Ａに要求してくる。
【００６８】
「通知要求」を受けて、多機能電話機ＭＦＴ−Ａは、「通知２０００」（個人番号「２０００番」）を内線トランク３を介して構内交換機２に通知する。
【００６９】
「通知２０００」を受けて、構内交換機２は、「内線番号通知」の有無、「席移動」の可否を判定し、内線番号の通知があり、席移動が可能な場合には、「席移動処理」→「強制メニュー終了」→「内線初期設定」の処理を実行して、「初期設定２０００」を内線トランク３に送信し、内線トランク３は、「ＬＣＤ情報（２０００）」を多機能電話機ＭＦＴ−Ａに送信する。
【００７０】
これ以降、多機能電話機ＭＦＴ−Ａは、個人番号「２０００番」で動作することになり、「席移動開始」のシーケンスを終了する。なお、多機能電話機ＭＦＴ−Ａの利用者は、「席移動開始」操作をするだけでよい。
【００７１】
また、「席移動開始」のシーケンスにおいて、端子位置記憶領域７ａ内の「内線番号２０００番」は、「端子番号Ａ」に対応した位置から「端子番号Ｂ」の「仮想内線番号（個人番号）」に移動（図２に示す移動Ｘ）され、「端子番号Ｂ」に対応した本来の「内線番号３０００番」が使用できなくなる。なお、この際、内線名称や可変短縮ダイヤル情報も「端子番号Ｂ」に関連付けられる。
【００７２】
一方、「端子番号Ａ」に対応した「内線番号２０００番」は、移動Ｘによって空き状態になる。
【００７３】
図１０はこの発明に係るグループ内に席移動時データ変更の一実施の形態動作シーケンス図である。なお、多機能電話機ＭＦＴ−Ａは、図９に示す「席移動開始」のシーケンスで、接続端子Ｂに接続されており、個人番号「２０００番」で動作しているものとする。
【００７４】
図１０において、多機能電話機ＭＦＴ−Ａから「データ変更」（図７に示す「４．グループデータ」を選択して決定ボタン１２ａを押す）と、構内交換機２から「変更元内線番号要求」が多機能電話機ＭＦＴ−Ａに通知される。
【００７５】
多機能電話機ＭＦＴ−Ａで「（内線番号）４００１」を入力）の操作がなされると、「変更元内線番号（４００１）」が内線トランク３を介して構内交換機２に送信される。
【００７６】
「変更元内線番号（４００１）」を受けて、構内交換機２は、「変更」不可か「変更」可能かの判定を行い、「変更」可能の場合には、「データ変更処理」→「強制メニュー終了」→「内線初期設定」を実行し、「初期設定２０００」を内線トランク３に送信し、内線トランク３から「ＬＣＤ情報（２０００）が多機能電話機ＭＦＴ−Ａに提供される。
【００７７】
なお、この「データ変更処理」において、「内線番号４００１」に設定された共通情報（着信表示情報ＪA、着信音情報ＪA）などが「内線番号２０００」に対応付けて設定される（図２に示す移動Ｙ）。
【００７８】
これ以降、多機能電話機ＭＦＴ−Ａは、個人番号「２０００番」で動作するとともに、表示や着信音などの盤面は、グループ内４００１番と同様に動作することになり、「データ変更」のシーケンスを終了する。なお、多機能電話機ＭＦＴ−Ａの利用者は、「データ変更」操作をするだけでよい。
【００７９】
図１１はこの発明に係る席戻りの一実施の形態動作シーケンス図である。多機能電話機ＭＦＴ−Ａが本来の端子番号Ａに席戻りし、「POW-ON」（電源供給）されて内線トランク３との間で「同期確立」がなされると、内線トランク３から構内交換機２に「初期設定要求」が送信される。
【００８０】
「初期設定要求」を受信して構内交換機２は、端子番号Ａの内線番号が空きの状態にあるので、「初期設定情報（−）」を内線トランク３に送信し、内線トランク３から「ＬＣＤ情報（−）が多機能電話機ＭＦＴ−Ａに送信されてくる。「ＬＣＤ情報（−）」を受信しても、内線番号があきなので、多機能電話機ＭＦＴ−Ａは、「動作不可」となって動作開始することができない。
【００８１】
次に、多機能電話機ＭＦＴ−Ａから「席移動開始」の操作がなされると、構内交換機２は、「個人番号通知要求」を内線トランク３を介して多機能電話機ＭＦＴ−Ａに通知してくる。
【００８２】
「個人番号通知要求」を受けて、多機能電話機ＭＦＴ−Ａは、「個人番号通知（２０００）」を内線トランク３を経由して構内交換機２に通知する。
【００８３】
「個人番号通知（２０００）」を受けて、構内交換機２は、「内線番号通知」の有無、「席移動」の可否を判定し、内線番号通知あり、席移動可能な場合には、「席移動（戻り）処理」→「強制メニュー終了」→「内線初期設定」の処理を実行して、「初期設定２０００」を内線トランク３に送信し、内線トランク３は、「ＬＣＤ情報（２０００）を多機能電話機ＭＦＴ−Ａに送信する。
【００８４】
なお、「席移動（戻り）処理」として、端末位置記憶領域７ａ内の「端末番号Ｂ」に対応する仮想内線番号（個人番号）のクリア（消去）を行う（図２に示す移動Ｚ）。
【００８５】
これ以降、多機能電話機ＭＦＴ−Ａは、個人番号「２０００番」で動作することになり、「席戻り」のシーケンスを終了する。なお、多機能電話機ＭＦＴ−Ａの利用者は、「席移動開始」操作をするだけでよい。
【００８６】
また、「席戻り」のシーケンスにおいて、端子位置記憶領域７ａ内の「内線番号２０００番」の収容位置は、「端子番号Ｂ」に対応した位置から「端子番号Ａ」の本来の「内線番号」に戻ることになる。
【００８７】
なお、本実施の形態では、内線電話機４を多機能電話機ＭＦＴ−Ａで説明したが、多機能電話機ＭＦＴ−Ｂ〜ＭＦＴ−Ｎでも同様になる。
【００８８】
また、本実施の形態では、内線電話機４を多機能電話機ＭＦＴ−Ａ〜ＭＦＴ−Ｎで説明したが、図３に示す表示器８、十字ボタン１２、決定ボタン１２ａおよびメニューボタンを備えた電話機であれば、どのような電話機でもよい。
【００８９】
以上説明したように、この発明に係る内線電話システム１は、内線電話機（多機能電話機ＭＦＴ−Ａ〜ＭＦＴ−Ｎ）を内線トランク３の接続端子（端子番号）Ａ〜Ｎに接続し、接続端子Ａ〜Ｎに予め割り当てられた内線番号（「２０００番」〜「７０００番」）を個人番号として登録し、席移動で個人番号「２０００番」が登録された内線電話機（多機能電話機ＭＦＴ−Ａ）を別の接続端子に接続して個人番号で利用可能にしたデータを有する記憶装置７を備えたので、席移動しても、何の工事を必要とせず、利用者の内線電話機を持って個人番号で、利用することができ、利便性の向上を図ることができる。
【産業上の利用可能性】
【００９０】
この発明に係る内線電話システムは、席替え前の内線番号を個人番号として内線電話機に登録し、個人番号と同じ内線電話機で、内線番号が予め割り当てられている構内交換機の任意の接続端子に接続して利用可能になり、内線番号が予め割り当てられている任意の接続端子に接続して個人番号で利用するあらゆる内線電話システムに適用することができる。
【図面の簡単な説明】
【００９１】
【図１】この発明に係る内線電話システムの一実施の形態システム構成図
【図２】この発明に係る記憶装置の一実施の形態端子位置記憶領域イメージ図
【図３】この発明に係る内線電話機の一実施の形態構成図
【図４】この発明に係る個人番号方式の一実施の形態席移動イメージ図
【図５】この発明に係る個人番号の登録の一実施の形態メニュー選択図
【図６】この発明に係る席移動開始の一実施の形態メニュー選択図
【図７】この発明に係るグループデータコピーの一実施の形態メニュー選択図
【図８】この発明に係る個人番号登録の一実施の形態動作シーケンス図
【図９】この発明に係る席移動開始の一実施の形態動作シーケンス図
【図１０】この発明に係るグループ内に席移動時データ変更の一実施の形態動作シーケンス図
【図１１】この発明に係る席戻りの一実施の形態動作シーケンス図
【符号の説明】
【００９２】
１    内線電話システム
２    構内交換機
３    内線トランク
４    内線電話機
５    通話路スイッチ
６    制御装置
７    記憶装置
７ａ    端子位置記憶領域
７ｂ    グループ記憶領域
８    表示器
９    着信ランプ
１０    フリーファンクションボタン
１１，１４    機能ボタン
１２    十字ボタン
１２ａ    決定ボタン
１３    マイク
１５    ダイヤルボタン
１６    スピーカ
１７    ハンドセット
Ａ〜Ｎ    接続端子（端子番号）
ＭＦＴ−Ａ〜ＭＦＴ−Ｎ    多機能電話機
ＪG    着信表示情報
ＪA    着信音情報
【図１】
2007274408.tif 000003
【図２】
2007274408.tif 000004
【図３】
2007274408.tif 000005
【図４】
2007274408.tif 000006
【図５】
2007274408.tif 000007
【図６】
2007274408.tif 000008
【図７】
2007274408.tif 000009
【図８】
2007274408.tif 000010
【図９】
2007274408.tif 000011
【図１０】
2007274408.tif 000012
【図１１】
2007274408.tif 000013